(57)【要約】【課題】小型のディスプレイを備える画像表示装置においてテレビ番組内のテロップのような小さな文字の視認性を向上させる。【解決手段】動画表示装置は、動画像内の１フレーム画像から文字を含む領域を検出して切り出す文字領域抽出部と、前記１フレーム画像の画素数と前記１フレーム画像をディスプレイに表示する時の画素数との比率を基に前記切り出した文字領域に対する拡大縮小率を決定する拡大縮小率決定部と、前記拡大縮小率に応じて前記切り出した文字領域のサイズを変換する文字領域サイズ変換部と、前記１フレーム画像をディスプレイに表示するための画素数にサイズを変換する表示サイズ変換部と、前記サイズ変換した文字領域と前記表示サイズに変換した１フレーム画像とを合成する合成処理部を有する。【選択図】図１
2013040976.tif 000002
【特許請求の範囲】
【請求項１】
動画像内の１フレーム画像から文字を含む領域を検出して切り出す文字領域抽出部と、
前記１フレーム画像の画素数と前記１フレーム画像をディスプレイに表示する時の画素数との比率を基に前記切り出した文字領域に対する拡大縮小率を決定する拡大縮小率決定部と、
前記拡大縮小率に応じて前記切り出した文字領域のサイズを変換する文字領域サイズ変換部と、
前記１フレーム画像をディスプレイに表示するための画素数にサイズを変換する表示サイズ変換部と、
前記サイズ変換した文字領域と前記表示サイズに変換した１フレーム画像とを合成する合成処理部を有する画像表示装置。
【請求項２】
請求項１に記載の画像表示装置であって
前記拡大縮小率決定部は、前記比率およびディスプレイの大きさから拡大縮小率を決定する画像表示装置。
【請求項３】
請求項２に記載の画像表示装置であって、
前記ディスプレイの大きさは、ディスプレイの対角線の長さとディスプレイで表示可能な最大の縦と横の画素数である画像表示装置。
【請求項４】
請求項１から３のいずれか１項に記載の画像表示装置であって、
前記サイズ変換後の文字領域の縦もしくは横の画素数は、前記表示サイズの縦もしくは横の画素数を上限とする画像表示装置。
【請求項５】
請求項１から請求項４のいずれか１項に記載の画像表示装置であって、
前記切り出した文字領域の縦もしくは横の画素数をｘ、ディスプレイの対角線の長さをN、ディスプレイで表示可能な最大の縦の画素数をY、横の画素数をX、サイズ変換後の文字領域の縦もしくは横の長さをLとすると、前記拡大縮小率ｓは、以下の式で表される画像表示装置。
ｓ＝L・√(X2 + Y2)／Nx
【請求項６】
前記請求項１から５のいずれかの画像表示装置を搭載した携帯端末装置。
【請求項７】
動画像内の１フレーム画像から文字を含む領域を検出して切り出す第1ステップと、
前記１フレーム画像の画素数と前記１フレーム画像をディスプレイに表示する時の画素数との比率を基に前記切り出した文字領域に対する拡大縮小率を決定する第２ステップと、
前記拡大縮小率に応じて前記切り出した文字領域のサイズを変換する第３ステップと、
前記１フレーム画像をディスプレイに表示するための画素数にサイズを変換する第４ステップと、
前記サイズ変換した文字領域と前記表示サイズに変換した１フレーム画像とを合成する第５ステップと、を有する画像表示方法。
【請求項８】
請求項７に記載の画像表示方法であって、
前記第２ステップにおいて、前記比率およびディスプレイの大きさから前記拡大縮小率を決定する画像表示方法。
【請求項９】
請求項８に記載の画像表示方法であって、
前記ディスプレイの大きさは、前記ディスプレイの対角線の長さと前記ディスプレイで表示可能な最大の縦と横の画素数である画像表示方法。
【請求項１０】
請求項７から請求項９のいずれか１項に記載の画像表示方法であって、
サイズ変換後の文字領域の縦もしくは横の画素数は、前記ディスプレイに表示するサイズの縦もしくは横の画素数を上限とする画像表示方法。
【請求項１１】
請求項７から請求項１０のいずれか１項に記載の画像表示方法であって、
前記切り出した文字領域の縦もしくは横の画素数をｘ、ディスプレイの対角線の長さをN、ディスプレイで表示可能な最大の縦の画素数をY、横の画素数をX、サイズ変換後の文字領域の縦もしくは横の長さをLとすると、前記拡大縮小率ｓは、以下の式で表される画像表示方法。
ｓ＝L・√(X2 + Y2)／Nx
【発明の詳細な説明】
【技術分野】
【０００１】
本発明は、モバイル機器における動画像の表示に関するものであり、特に、テレビ番組等で表示されるテロップの視認性を改善する画像表示装置及び画像表示方法に関するものである。
【背景技術】
【０００２】
携帯端末やPDAなどのモバイル機器において搭載されるプロセッサ等の処理性能の向上に伴い、従来のメールやインターネット上のホームページ等の閲覧といった用途から、動画の視聴へと広がってきた。2006年4月からは、地上デジタル放送の伝送帯域の一部を使い、携帯端末等での視聴を目的としたワンセグ放送が開始された。また、今後はアナログ放送停止以降の帯域を利用した新たなサービスが検討されており、ワンセグよりも高画質なコンテンツの視聴の可能性が出てきた。
一方、家庭内の機器と連係し、録画したテレビ番組を記録媒体等に適切な手段で書き込んだり、インターネットからダウンロードしたコンテンツを記録媒体に書き込んだりして、モバイル機器を使って出先で視聴する  といった機能も実現されてきている。
【０００３】
このように放送、家電、インターネットなど様々な手段で高画質なコンテンツを入手・視聴できる環境が整いつつある。
【先行技術文献】
【特許文献】
【０００４】
【特許文献１】特開2007-074091号公報
【特許文献２】特開2005-084157号公報
【特許文献３】特開2002-091409号公報
【発明の概要】
【発明が解決しようとする課題】
【０００５】
モバイル機器は携帯性を優先するために小型に作られており、表示のためのディスプレイも3〜4インチ程度となっている。コンテンツが高画質になっても、ディスプレイが小さいと、表示されている小さい対象物の視認性はあまり良くなく、特に、テレビ番組中に表示される文字やテロップなどが小さくて読めない・読みづらいといった課題がある。
このような課題に対応するため、画面内のテロップ情報を検出し、強調表示を行う技術の検討が行われている。テロップ情報の検出技術に関しては、特許文献１に開示されている。特許文献１では、入力された画像に対してエッジ検出処理を施し、テロップ領域を特定するものである。
また、携帯端末では、同じコンテンツを、使用状況に応じて画像サイズを変えて表示することがある。例えば、ディスプレイを横長にして画像を画面一杯に表示したり、ディスプレイを縦長にしてディスプレイの短辺に画像の横サイズを合わせて表示したり、メール等の他のアプリケーションを起動している時にディスプレイの隅に小さく表示したりする。
よって、画面一杯に表示している時には、テロップを必要以上に大きく表示せず、視聴の妨げにならないようにし、小さい時は視認性確保のために大きめに表示する事が望ましいと考えられる。
特許文献２では、テロップ領域を検出して拡大表示して視認性の向上をはかっているが、拡大率を変更する事を考慮していないため、前述の望ましい表示が実現できないという課題がある。
また、特許文献３では、DVDなどに格納されている文字情報(字幕)を任意に拡大して表示する事は可能であるが、ユーザーが都度拡大率を指定する必要があり、手間がかかるという課題がある。
【課題を解決するための手段】
【０００６】
本発明は、上記の課題を解決し、モバイル機器で動画やTV番組等の視聴を行う場合でも、小さい文字の視認性を改善するものである。
上記の課題を鑑みて、本発明の画像表示装置は、動画像内の１フレーム画像から文字を含む領域を検出して切り出す文字領域抽出部と、前記１フレーム画像の画素数と前記１フレーム画像をディスプレイに表示する時の画素数との比率を基に前記切り出した文字領域に対する拡大縮小率を決定する拡大縮小率決定部と、前記拡大縮小率に応じて前記切り出した文字領域のサイズを変換する文字領域サイズ変換部と、前記１フレーム画像をディスプレイに表示するための画素数にサイズを変換する表示サイズ変換部と、前記サイズ変換した文字領域と前記表示サイズに変換した１フレーム画像とを合成する合成処理部を有する。
この構成により、ディスプレイに表示する画像サイズを元に文字領域の大きさを決定することにより、文字を読みやすくすることができる。
また、本発明の画像表示装置は、前記拡大縮小率決定部は、前記比率およびディスプレイの大きさから拡大縮小率を決定する。
この構成により、ディスプレイサイズとディスプレイに表示する画像サイズを元に文字領域の大きさを決定することにより、大きさの異なる複数のディスプレイにおいても文字をよみやすくすることができる。
また、本発明の画像表示装置は、前記ディスプレイの大きさは、ディスプレイの対角線の長さとディスプレイで表示可能な最大の縦と横の画素数である。
この構成により、一般的なディスプレイの情報を用いることにより、容易に拡大縮小率の計算をすることができる。
また、本発明の画像表示装置は、前記サイズ変換後の文字領域の縦もしくは横の画素数は、前記表示サイズの縦もしくは横の画素数を上限とする。
この構成により、文字領域の画像サイズが表示サイズを超えないようにすることにより、文字領域が切れて見えなくなることを回避することができる。
また、本発明の画像表示装置は、前記切り出した文字領域の縦もしくは横の画素数をｘ、ディスプレイの対角線の長さをN、ディスプレイで表示可能な最大の縦の画素数をY、横の画素数をX、サイズ変換後の文字領域の縦もしくは横の長さをLとすると、前記拡大縮小率ｓは、以下の式で表される。
【０００７】
ｓ＝L・√(X2 + Y2)／Nx
また、本発明の携帯端末装置は、前記いずれか１項に記載の画像表示装置を搭載している。
この構成により、携帯端末装置に搭載することにより、携帯端末での視聴において文字することができる。
本発明の動画像表示方法は、動画像内の１フレーム画像から文字を含む領域を検出して切り出す第1ステップと、前記１フレーム画像の画素数と前記１フレーム画像をディスプレイに表示する時の画素数との比率を基に前記切り出した文字領域に対する拡大縮小率を決定する第２ステップと、前記拡大縮小率に応じて前記切り出した文字領域のサイズを変換する第３ステップと、前記１フレーム画像をディスプレイに表示するための画素数にサイズを変換する第４ステップと、前記サイズ変換した文字領域と前記表示サイズに変換した１フレーム画像とを合成する第５ステップとを有している。
この方法により、ディスプレイに表示する画像サイズを元に文字領域の大きさを決定することにより、文字を読みやすくすることができる。
また、本発明の画像表示方法は、前記第２ステップにおける前記拡大縮小率は、前記比率およびディスプレイの大きさから決定する。
この方法により、ディスプレイサイズとディスプレイに表示する画像サイズを元に文字領域の大きさを決定することにより、大きさの異なる複数のディスプレイにおいても文字をよみやすくすることができる。
また、本発明の画像表示方法は、前記ディスプレイの大きさは、前記ディスプレイの対角線の長さと前記ディスプレイで表示可能な最大の縦と横の画素数である。
この方法により、一般的なディスプレイの情報を用いることにより、容易に拡大縮小率の計算をすることができる。
また、本発明の画像表示方法は、サイズ変換後の文字領域の縦もしくは横の画素数は、前記ディスプレイに表示するサイズの縦もしくは横の画素数を上限とする。
この方法により、文字領域の画像サイズが表示サイズを超えないようにすることにより、文字領域が切れて見えなくなることを回避することができる。
また、本発明の画像表示方法は、前記切り出した文字領域の縦もしくは横の画素数をｘ、ディスプレイの対角線の長さをN、ディスプレイで表示可能な最大の縦の画素数をY、横の画素数をX、サイズ変換後の文字領域の縦もしくは横の長さをLとすると、前記拡大縮小率ｓは、以下の式で表される。
【０００８】
ｓ＝L・√(X2 + Y2)／Nx
この計算方法により、所望のサイズにすることができる。
【発明の効果】
【０００９】
本発明の画像表示装置および方法によれば、ディスプレイに表示する時の画像サイズやディスプレイサイズをもとに、文字領域の拡大縮小率を決定して合成・表示するため、文字を読みやすくなるという効果を有する。
【図面の簡単な説明】
【００１０】
【図１】本発明の画像表示装置の第１の形態のブロック図である。
【図２】本発明の画像表示装置の第１の形態における拡大文字領域を合成した説明図である。
【図３】本発明の画像表示装置の第２の形態のブロック図である。
【図４】本発明の画像表示装置の第２の形態における拡大文字領域を合成した説明図である。
【図５】本発明の携帯端末装置の第１の形態のブロック図である。
【図６】本発明の携帯端末装置の第２の形態のブロック図である。
【図７】本発明の画像表示方法の第１の処理フローである。
【図８】本発明の画像表示方法の第２の処理フローである。
【発明を実施するための形態】
【００１１】
本発明を実施するための最良の形態を以下に述べる。
【００１２】
（第１実施形態）
本発明を実施するための第１の最良の形態を図１用いて説明する。図１において、１０１は文字領域抽出部、１０２は画像サイズ情報取得部、１０３は拡大縮小率決定部、１０４は文字領域サイズ変換部、１０５は合成処理部、１０６は表示サイズ変換部、１０７は表示出力用バッファである。
文字領域抽出部１０１は、入力画像から文字領域を検出し、その領域を含む矩形領域を切り出す。さらに、文字領域の検出有無と、矩形領域の画像サイズ(縦と横の画素数)と切出した画像データを出力する。画像サイズ情報取得部１０２は、ディスプレイ上に表示する画像サイズ情報と入力画像サイズ情報を取得して出力する。例えば、入力画像サイズとして横８４８画素、縦４８０画素という数値を出力し、ディスプレイ上に表示する画像サイズ情報については、８４８画素×４８０画素の表示が可能なディスプレイであり、横長に画面一杯表示したい場合は、横８４８画素、縦４８０画素という数値を出力し、ディスプレイを縦長にして表示したい場合は、横４８０画素、縦２７０画素という数値を出力する（図２aの灰色部分）。
拡大縮小率決定部１０３は、表示する画像サイズと入力画像サイズとから文字領域抽出部１０１で抽出した文字領域のサイズ変換後の画像サイズを決定し、その拡大縮小率を出力する。拡大もしくは縮小後の文字領域サイズは、視認性だけを考慮すると、できるだけ大きい方が好ましいが、画面の視聴の妨げとならない程度に抑え、表示画像サイズに応じて適切に拡大縮小率を定める事が望ましい。つまり、入力画像サイズに対して表示画像サイズが小さくなるにつれ、文字領域の拡大率を抑えるようにする。例えば、下表のような拡大縮小率とする。
下表の拡大縮小率に応じて文字領域を拡大し、表示画像サイズの縦もしくは横の画像サイズが大きくなる場合は、表示画像サイズを超えないサイズを上限とする。
【００１３】
【表１】
2013040976.tif 000003
【００１４】
文字領域サイズ変換部１０４は、前記拡大縮小率に基づいてサイズ変換を行い、画像データを出力する。合成処理部１０５は、入力画像とサイズ変換後の文字領域を合成して出力する。
例えば、入力画像サイズが横８４８画素、縦が４８０画素であり、ディスプレイ上に表示する画像サイズも横８４８画素、縦が４８０画素であり、検出された文字領域のサイズが横１２０画素、縦４０画素である場合、拡大縮小率を３倍とし、横３６０画素、縦１２０画素にサイズ変換して出力する。
別の一例として、入力画像サイズが横８４８画素、縦が４８０画素であり、ディスプレイ上に表示する画像サイズが横４８０画素、縦２７０画素であり、検出された文字領域サイズが横１２０画素、縦４０画素である場合、拡大縮小率を１．２５倍とし、横１５０画素、縦５０画素にサイズ変換して出力する（図２ｂ）。
表示サイズ変換部１０６は、入力画像サイズを表示サイズに変換する。表示サイズが横８４８画素、縦４８０画素の場合、入力画像サイズと同じであるため、サイズ変換は行われず、そのまま出力される。表示サイズが横４８０画素、縦２７０画素の場合は、このサイズに変換して出力を行う。
合成処理部１０５は、表示サイズに変換された入力画像と前記サイズ変換後の文字領域を合成して出力する。出力画像は表示出力用バッファ１０７に格納される。
このように、ディスプレイに表示する画像サイズを元に文字領域の大きさを決定することにより、文字を読みやすくすることができる。
（第２実施形態）
本発明を実施するための第２の最良の形態について図３を用いて説明する。図３において、図１と同じ処理ブロックには同一の番号を付与するものとし、説明も割愛する。
図３において、２０１はディスプレイサイズ情報取得部、２０２は拡大縮小率決定部である。ここでは、２つのディスプレイを有し、利用シーンによって、いずれかのディスプレイに表示するよう使いわけるものとする。ディスプレイ１は、表示サイズが８４８画素×４８０画素であり、対角線の長さが３．５インチであるものとする。ディスプレイ２は、表示サイズが４２４画素×２４０画素であり、対角線の長さが２インチであるものとする。
また、ここでは、ディスプレイ１を横長にして画面一杯に表示することを想定する。ディスプレイ２も横長にして画面一杯に表示することを想定する。
ディスプレイ１に表示を行う場合、ディスプレイサイズ情報取得部２０１は、表示可能な最大サイズ８４８画素×４８０画素という数値と、対角線の長さ３．５インチという数値を出力する。
ディスプレイ２に表示を行う場合、ディスプレイサイズ情報取得部２０１は表示可能な最大サイズ４２４画素×２４０画素という数値と、対角線の長さ２インチという数値を出力する。
画像サイズ情報取得部１０２は、入力画像サイズおよび表示画像サイズいずれも横８４８画素、縦４８０画素という数値を出力する。
また、文字領域抽出部１０１で検出された文字領域のサイズは、横１２０画素、縦４０画素であるとする。
拡大縮小率決定部２０２は、ディスプレイサイズ情報と画像サイズ情報とから、以下の表２に従い、拡大縮小率の決定を行う。同じディスプレイサイズの場合は、第１の実施形態と同様に、入力画像サイズに対して表示画像サイズが小さくなるにつれ、文字領域の拡大率を抑えるようにする。また、ディスプレイサイズが異なる場合は、サイズの小さい方が画面に占める文字領域の割合が高くなるように設定する（図４）
下表の拡大縮小率に応じて文字領域を拡大し、表示画像サイズの縦もしくは横の画像サイズが大きくなる場合は、表示画像サイズを超えないサイズを上限とする。
また、拡大縮小率を決めるにあたり、表示される画面上における文字領域のサイズを具体的な長さ(センチ等)で決めたい場合は、以下の手順で計算することも可能である。
文字領域の縦もしくは横の画素数をｘ、ディスプレイの対角線の長さをN、ディスプレイで表示可能な最大の縦の画素数をY、横の画素数をX、サイズ変換後の文字領域の縦もしくは横の長さをLとすると、前記拡大縮小率ｓは、三平方の定理を用いて以下の式で表される。
【００１５】
ｓ＝L・√(X2 + Y2)／Nx
この構成により、ディスプレイサイズとディスプレイに表示する画像サイズを元に文字領域の大きさを決定することにより、大きさの異なる複数のディスプレイにおいても文字をよみやすくすることができる。
また、一般的なディスプレイの情報を用いることにより、容易に拡大縮小率の計算をすることができる。
さらに、文字領域の画像サイズが表示サイズを超えないようにすることにより、文字領域が切れて見えなくなることを回避することができる。また、この計算方法により、所望のサイズにすることができる。
【００１６】
【表２】
2013040976.tif 000004
【００１７】
（第３実施形態）
本発明の携帯端末装置の最良な実施の形態について、図５を使って説明を行う。図５において３０１は記録媒体、３０２は分離部、３０３は画像復号部、３０４は音響復号部、３０５は動画表示装置、３０６はスピーカ、３０７はディスプレイである。
【００１８】
携帯端末装置において、記録媒体３０１に格納されているTV番組等のコンテンツを読み出す。分離部３０２は、読み出したコンテンツから符号化画像データと符号化音響データに分離して出力する。画像復号部３０３は、符号化画像データを視聴可能な画像データに復号する。画像符号化データの符号化方式は、さまざまなものが考えられるが、ISO/IEC(アイエスオー・アイイーシー) 14496 Part.2で規定されている技術(通称MPEG-4)等が例として挙げられる。音響復号部３０４は、符号化音響データを視聴可能な音響データに復号する。符号化音響データも同様にISO/IEC 14496 Part.3で規定されている技術(通称 AAC)が例としてあげられる。
【００１９】
画像復号部３０３で復号された画像は、動画表示装置３０５において文字領域の拡大処理を施し、入力画像に合成して出力を行う。合成した画像はディスプレイ３０７に表示される。音響復号部３０４で復号された音響データは、スピーカ３０６にて鳴動する。
このような構成にすることで、小型の携帯端末装置において、文字領域の拡大縮小率を適切に制御した画像の視聴が可能となり、文字などの視認性が向上する。
（第４実施形態）
本発明の携帯端末装置の最良な実施の形態について、図６を使って説明を行う。図６において、図５と同じ処理ブロックには同一の番号を付与するものとし、説明も割愛する。
図６において、４０１は２つのディスプレイのどちらに出力するかを切り替える切替部、４０２は３０７よりも小さいディスプレイである。このような構成にする事で、表示するディスプレイに応じた文字領域の拡大縮小率を決定し、適切な文字サイズにすることができるため、文字が読みやすくなる。
（第５実施形態）
本発明の動画表示方法の最良な実施の形態について、図７を使って説明を行う。
入力画像に対して、文字領域抽出処理ステップ（ＳＴ０１)でテロップ等の文字を含む領域を検出して切り出しを行う。文字領域検出ステップ（ＳＴ０２）で検出されたか否かを判定する。検出されなかったら次の入力画像の処理に移る。検出された場合、画像サイズ取得ステップ（ＳＴ０３）において、入力画像サイズと表示画像サイズを取得する。リサイズステップ（ＳＴ０４）において、入力画像を表示サイズにリサイズする。拡大縮小率決定ステップ（ＳＴ０５）において、表１に従って抽出した文字領域の拡大縮小率を定める。文字領域の拡大縮小処理ステップ（ＳＴ０６）では、前記拡大縮小率に応じて、文字領域の拡大もしくは縮小処理を実施する。合成処理ステップ(ＳＴ０７)は、拡大もしくは縮小後の文字領域と表示サイズにリサイズされた入力画像を合成する。バッファ格納ステップ（ＳＴ０８）では、合成後の画像データを表示出力用バッファに格納する。そして、次の入力画像の処理へと移る。
このように、ディスプレイに表示する画像サイズを元に文字領域の大きさを決定することにより、文字を読みやすくすることができる。
（第６実施形態）
本発明の動画表示方法の最良な実施の形態について、図８を用いて説明を行う。図８において、同じ処理ステップについては同一番号を付与し、説明も割愛する。サイズ取得ステップ（ＳＴ１０）において入力画像サイズと表示画像サイズとディスプレイサイズを取得し、拡大縮小率ステップ（ＳＴ０５）において、表２にしたがって拡大縮小率を決定する。この方法により、ディスプレイサイズとディスプレイに表示する画像サイズを元に文字領域の大きさを決定することにより、大きさの異なる複数のディスプレイにおいても文字をよみやすくすることができる。
【産業上の利用可能性】
【００２０】
本発明は、小型で携帯性の高い機器に適用が可能であり、特に携帯電話端末、PDA(パーソナルデジタルアシスタント)、ポータブルテレビなどが考えられる。
【符号の説明】
【００２１】
１０１    文字領域抽出部             
１０２    画像サイズ情報取得部
１０３    拡大縮小率決定部           
１０４    文字領域サイズ変換部 
１０５    合成処理部                 
１０６    表示サイズ変換部
１０７    ディスプレイ
２０１    ディスプレイサイズ情報取得部      
２０２    拡大縮小率決定部
３０１    記録媒体                   
３０２    分離部
３０３    画像復号部                 
３０４    音響復号部
３０５    動画表示装置               
３０６    スピーカ
３０７    ディスプレイ
４０１    切替部                     
４０２    ディスプレイ
【図１】
2013040976.tif 000005
【図２】
2013040976.tif 000006
【図３】
2013040976.tif 000007
【図４】
2013040976.tif 000008
【図５】
2013040976.tif 000009
【図６】
2013040976.tif 000010
【図７】
2013040976.tif 000011
【図８】
2013040976.tif 000012